(57)【要約】      （修正有）【課題】画像データに付加されている位置情報を地図表示可能な端末装置に対して出力するカメラを提供する。【解決手段】衛星からの信号をＧＰＳ受信機４０により受信し撮影位置の情報を求め、画像データに付加し、画像表示部２８にバーコードとして表示する。端末装置は、バーコードをカメラ機能により撮影し、変換された撮影位置情報に基づき、撮影位置周辺の地図データを画面に表示する。撮影位置情報は、電波、光信号により出力してもよい。【選択図】図１
2011077815.tif 000002
【特許請求の範囲】
【請求項１】
画像データに付加されている、衛星からの信号により検出された撮影位置の情報を地図表示可能な端末装置に対して出力する情報出力部
を備えることを特徴とするカメラ。
【請求項２】
衛星からの信号により撮影が行われた位置を検出する検出部を備えることを特徴とする請求項１記載のカメラ。
【請求項３】
撮影方向を計測する方位計測部を備え、
前記情報出力部は、前記方位計測部により検出された撮影方位の情報を更に出力することを特徴とする請求項１または２記載のカメラ。
【請求項４】
前記情報出力部は、前記情報をバーコード化して表示部に表示することを特徴とする請求項１〜３の何れか一項に記載のカメラ。
【請求項５】
前記情報出力部は、前記情報を電波により送信することを特徴とする請求項１〜３の何れか一項に記載のカメラ。
【請求項６】
前記情報出力部は、前記情報を光信号により送信することを特徴とする請求項１〜３の何れか一項に記載のカメラ。
【請求項７】
請求項１〜６の何れか一項に記載のカメラと、
前記情報出力部により出力された前記情報を取得する取得部と、前記情報の位置周辺の地図情報を取得する地図情報取得部と、前記地図情報に基づく地図及び前記撮影位置を表示する地図表示部とを有する端末装置と
を備えることを特徴とするカメラシステム。
【請求項８】
前記端末装置は、前記撮影方位の情報を前記地図表示部に表示することを特徴とする請求項７記載のカメラシステム。
【請求項９】
前記端末装置は、前記地図表示部において、前記撮影位置から見て前記撮影方位の方向の領域を、前記撮影方位の方向ではない領域に比較して広く表示することを特徴とする請求項８記載のカメラシステム。
【請求項１０】
前記端末装置は、衛星からの信号により現在位置を検出する検出部を備え、前記地図表示部に表示される地図上に、前記現在位置を更に表示することを特徴とする請求項７〜９の何れか一項に記載のカメラシステム。
【発明の詳細な説明】
【技術分野】
【０００１】
本発明は、カメラ及びカメラシステムに関するものである。
【背景技術】
【０００２】
カメラで目的地を示すバーコードを撮影し、ナビゲーション時の目的地の設定を行う携帯通信端末が存在する（例えば、特許文献１参照）。
【先行技術文献】
【特許文献】
【０００３】
【特許文献１】特開２００５−２９１８８５号公報
【発明の概要】
【発明が解決しようとする課題】
【０００４】
しかし、この携帯通信端末においては、目的地の地図情報を表示するために、カメラ機能、ＧＰＳ機能及びネットワーク接続機能が必要であり、装置が大型化するという問題が有る。
【０００５】
本発明の目的は、画像データに付加されている位置情報を地図表示可能な端末装置に対して出力することができるカメラ及びカメラシステムを提供することである。
【課題を解決するための手段】
【０００６】
本発明のカメラは、画像データに付加されている、衛星からの信号により検出された撮影位置の情報を地図表示可能な端末装置に対して出力する情報出力部を備えることを特徴とする。
【０００７】
また、本発明のカメラシステムは、本発明のカメラと、前記情報出力部により出力された前記情報を取得する取得部と、前記情報の位置周辺の地図情報を取得する地図情報取得部と、前記地図情報に基づく地図及び前記撮影位置を表示する地図表示部とを有する端末装置とを備えることを特徴とする。
【発明の効果】
【０００８】
本発明のカメラ及びカメラシステムによれば、画像データに付加されている位置情報を地図表示可能な端末装置に対して出力することができる。
【図面の簡単な説明】
【０００９】
【図１】本発明の実施の形態に係る電子カメラのシステム構成を示すブロック図である。
【図２】本発明の実施の形態に係る電子カメラによる２次元バーコードの出力処理を示すフローチャートである。
【図３】本発明の実施の形態に係る電子カメラにおける２次元バーコードの表示状態を示す図である。
【図４】本発明の実施の形態に係る地図情報の表示処理を示すフローチャートである。
【図５】本発明の実施の形態に係るカメラシステムを示す図である。
【図６】本発明の実施の形態に係る携帯電話に表示される地図情報を示す図である。
【発明を実施するための形態】
【００１０】
以下、図面を参照して本発明の実施の形態に係るカメラシステムを構成する電子カメラ及び携帯電話について説明する。
【００１１】
図１は実施の形態に係る電子カメラ２のシステム構成を示すブロック図である。電子カメラ２には、撮影レンズ１０を介した被写体光を撮像するＣＣＤまたはＣＭＯＳにより構成される撮像素子１２が設けられている。撮像素子１２からタイミングジェネレータ（ＴＧ）１４からのタイミング信号に基づいて出力される撮像信号（蓄積電荷としてのアナログ信号）は、Ａ／Ｄ変換回路１６に入力されてデジタル信号に変換され、画像データとして一時的にイメージメモリ２０に保存される。画像処理回路１８は、イメージメモリ２０に保存されている画像データに対して、ホワイトバランス（ＷＢ）調整、輪郭補償、ガンマ補正などの各種の画像処理を行う。出力処理回路２２は、画像データに付加されている撮影した位置情報と撮影した方位の情報とを含む情報を２次元バーコードに変換し出力する。圧縮回路２４は、画像処理回路１８で画像処理された画像データをＪＰＥＧ等の方式で圧縮処理を行う。
【００１２】
また、画像処理回路１８で画像処理された画像データは、表示回路２６を介して液晶パネルから構成される画像表示装置２８において表示される。記録媒体３０は、カードスロット（図示せず）に対して着脱可能に装着されるメモリカードである。なお、撮影した画像データはＥｘｉｆ（Ｅｘｃｈａｎｇａｂｌｅ  ｉｍａｇｅ  ｆｉｌｅ  ｆｏｒｍａｔ）等の所定の形式の画像ファイルとして記録媒体３０に記憶される。また、上述の画像処理回路１８、イメージメモリ２０、出力処理回路２２、圧縮回路２４及び表示回路２６により画像処理ブロックが構成され、画像処理ブロックは、電子カメラ２を統括的に制御するＣＰＵ３２の制御の下、画像データに対する画像処理などを行なう。
【００１３】
ＣＰＵ３２には、主電源をオン／オフする電源スイッチ、レリーズボタン、メニューボタン等が含まれる操作部材３６が接続されている。また、ＣＰＵ３２には、電子カメラ２による撮影方向を検出する方位センサ３８、複数のＧＰＳ衛星から電波信号を受信し、現在位置情報を求めるＧＰＳ（Ｇｌｏｂａｌ  Ｐｏｓｉｔｉｏｎｉｎｇ  Ｓｙｓｔｅｍ）受信機４０が接続されている。
【００１４】
本発明の実施の形態に係るカメラシステムに用いる携帯電話５０（図５参照）は、カメラ機能、カメラ機能により２次元バーコードを読み込む機能及びＧＰＳ衛星からの信号を受信するＧＰＳ受信機が搭載されている。また、ＡＧＰＳ（Ａｓｓｉｓｔｅｄ  Ｇｌｏｂａｌ  Ｐｏｓｉｔｉｏｎ  Ｓｙｓｔｅｍ）と呼ばれる衛星と基地局からの情報で位置を確定し、基地局より地図データを受信して簡易的なナビゲーションを行う機能が搭載されている。
【００１５】
操作者により電子カメラ２の電源スイッチがオンされると、ＣＰＵ３２は、電子カメラ２及びＧＰＳ受信機４０の動作を開始し、ＧＰＳ受信機４０によるＧＰＳ衛星の信号の捕捉を開始する。また、レリーズボタンが全押しされると、撮像素子１２により被写体の撮像を行う。そして、画像処理回路１８による画像処理が行なわれ、画像データを所定の形式の画像ファイルとして記憶媒体３０に記憶する。なお、ＧＰＳ受信機４０から送られる位置情報と方位センサ３８による撮影方向の情報とを含む情報は、画像ファイルのタグ情報として記憶媒体３０に記録される。
【００１６】
次に、図２に示すフローチャートを参照して、本発明の実施の形態に係る電子カメラ２における２次元バーコードの出力処理について説明する。
【００１７】
操作者が操作部材３６を操作することにより、記憶媒体３０に記憶されている画像データの中から画像表示装置２８において表示させる画像データを選択すると、選択された画像データに基づき画像表示装置２８に画像を表示させる（ステップＳ１０）。また、出力処理回路２２は、表示された画像データにタグ情報として付加されている撮影位置情報と、撮影方向の情報とを含む情報を２次元バーコードに変換する（ステップＳ１１）。そして、画像表示装置２８に表示されている画像データに２次元バーコードを重ねて表示する。即ち、図３に示すように、画像データに付加されている撮影位置情報４２（緯度：Ｎ３５°  ３６．３７１、経度：Ｅ１３９°  ４３．６９６、標高：１３５０ｍ、時刻：２００９／０３／０１  １９：２２）を画像表示装置２８の表示領域の上段に表示し、画像データに付加されている撮影位置情報と撮影方向の情報とを含む情報の２次元バーコード４４を画像表示装置２８の表示領域の右下に表示する（ステップＳ１２）。そして、操作者が操作部材３６を操作することにより、画像表示装置２８に表示されている画像を変更する場合には、ステップＳ１０〜Ｓ１２の処理を繰り返す（ステップＳ１３、Ｙｅｓ）。一方、画像表示装置２８に表示されている画像を変更しない場合には、この処理を終了する（ステップＳ１３、Ｎｏ）。
【００１８】
次に、図４に示すフローチャートを参照して、本発明の実施の形態に係るカメラシステムに用いる携帯電話による地図情報の表示処理について説明する。
【００１９】
操作者が携帯電話５０の操作部材５４を操作することにより、図５に示すように、携帯電話５０のカメラ機能により電子カメラ２の画像表示装置２８に表示された２次元バーコード４４を撮影すると（ステップＳ２０）、２次元バーコード４４はデコードされて撮影位置情報と撮影方向の情報とに変換される（ステップＳ２１）。携帯電話５０は、変換された撮影位置情報に基づく撮影位置周辺の地図の地図データを、ＡＧＰＳにより基地局から受信する。そして、図６に示すように、基地局から受信した地図データに基づく撮影位置周辺の地図を表示部５２に表示する（ステップＳ２２）。更に撮影位置情報に基づく撮影位置５６及び撮影方向の情報に基づく撮影方向５８を表示し、携帯電話５０のＧＰＳ受信機により測位された現在位置６０が表示可能である場合には現在位置６０の表示も行う（ステップＳ２３）。
【００２０】
本発明の実施の形態に係る電子カメラによれば、画像データに付加されている撮影位置情報と撮影方向の情報とを含む情報を２次元バーコードに変換し、画像表示装置に表示することができるため、カメラ機能及びネットワーク接続機能を有する端末装置を用いることにより撮影位置周辺の地図を表示することができる。従って、電子カメラには、目的地の地図データを記憶するメモリ及びネットワーク接続機能を設ける必要がなく、電子カメラの大型化を防止することができる。
【００２１】
なお、上述の実施の形態においては、画像データに付加されている撮影位置情報、撮影方向の情報等の情報を出力するために、２次元バーコードを表示しているが、ＩｒＤＡ等の赤外線による光信号、無線ＬＡＮ、Ｂｌｕｅｔｏｏｔｈ等による電波により撮影位置情報、撮影方向の情報等の情報を出力してもよい。
【００２２】
また、上述の実施の形態においては、端末装置として携帯電話を用いているが、電子カメラと通信可能なパソコン、ＰＮＤ（Ｐｅｒｓｏｎａｌ  Ｎａｖｉｇａｔｉｏｎ  Ｄｅｖｉｃｅ）、ＰＤＡ（Ｐｅｒｓｏｎａｌ  Ｄｉｇｉｔａｌ  Ａｓｓｉｓｔａｎｔ）、カーナビ等を端末装置として用いてもよい。
【００２３】
また、上述の実施の形態においては、画像データにおける撮影位置情報と撮影方向の情報とを含む情報を２次元バーコード４４に変換しているが、撮影位置情報のみを２次元バーコードに変換してもよい。この場合、２次元バーコードに撮影方向の情報が含まれていないため、携帯電話５０の表示部５２には、撮影位置周辺の地図及び撮影位置を表示し、
表示可能である場合には現在位置も表示する。
【００２４】
また、上述の実施の形態において、撮影位置周辺の地図及び撮影位置５６を表示する場合には、撮影位置５６から見て撮影方向の領域を、撮影方向でない領域に比較して広く表示するようにしてもよい。
【符号の説明】
【００２５】
２…電子カメラ、１２…撮像素子、２８…画像表示装置、３０…記憶媒体、３２…ＣＰＵ、３６…操作部材、３８…方位センサ、４０…ＧＰＳ受信機、４４…２次元バーコード、５０…携帯電話、５２…表示部、５４…操作部、５６…撮影位置、５８…撮影方向、６０…現在位置。
【図１】
2011077815.tif 000003
【図２】
2011077815.tif 000004
【図３】
2011077815.tif 000005
【図４】
2011077815.tif 000006
【図５】
2011077815.tif 000007
【図６】
2011077815.tif 000008